(57)【要約】【課題】本発明は、学習機能を有した料理レシピ推薦機能と購入連動機能を有するシステムを提供する。【解決手段】本発明は、レシピと、前記レシピに付随する属性情報と、前記レシピに少なくとも１つ以上の材料情報を含み、前記レシピに関して需要者が決定する入力情報と、需要者が前記レシピを選択することにより蓄積する選択蓄積情報と、前記属性情報と前記入力情報と前記選択蓄積情報から需要者に提供するレシピを抽出する抽出システムを有すること、最も主要な特徴とする献立作成システムである。【選択図】図５
2016012247.tif 000002
【特許請求の範囲】
【請求項１】
レシピと、
前記レシピに付随する属性情報と、
前記レシピに少なくとも１つ以上の材料情報を含み、
前記レシピに関して需要者が決定する入力情報と、
需要者が前記レシピを選択することにより蓄積する選択蓄積情報と、
前記属性情報と前記入力情報と前記選択蓄積情報から需要者に提供するレシピを抽出する抽出システムを有すること、
を特徴とする献立作成システム。
【請求項２】
前記献立作成システムは、
前記選択蓄積情報が蓄積することに基づいて複数の前記属性情報の各々の選択回数を蓄積し、
次の抽出の際に前記選択回数に基づいて需要者に提供するレシピの抽出をする抽出システムを有すること、
を特徴とする請求項１に記載の献立作成システム。
【請求項３】
前記献立作成システムは、
前記レシピに主菜レシピと副菜レシピを含み、
前記副菜レシピの属性情報には、主菜レシピとの相性情報を含み、
前記主菜レシピを抽出後、前記相性情報に基づいて需要者に提供する副菜レシピを抽出する抽出システムを有すること、
を特徴とする請求項１乃至請求項２に記載の献立作成システム。
【請求項４】
前記献立作成システムは、
前記材料情報に前記入力情報により決定される常備品か否かである常備品情報を含み、
前記常備品情報に基づいて需要者に提供するレシピを抽出する抽出システムを有すること、
を特徴とする請求項１乃至請求項３に記載の献立作成システム。
【請求項５】
前記献立作成システムは、
前記レシピに関して調理時間情報を含み、
前記入力情報に調理希望時間情報を含み、
前記調理時間情報と前記調理希望時間情報から需要者に提供するレシピを抽出する抽出システムを有すること、
を特徴とする請求項１乃至請求項４に記載の献立作成システム。
【請求項６】
前記献立作成システムは、
前記レシピに関して調理方法情報を含み、
前記入力情報に調理希望最適化情報を含み、
前記調理方法情報と前記調理希望最適化情報から需要者が希望する調理最適化情報を抽出する抽出システムを有すること、
を特徴とする請求項１乃至請求項５に記載の献立作成システム。
【請求項７】
前記献立作成システムは、
前記入力情報に関して需要者年齢情報と需要者体質情報の内少なくとも１つを含み、
前記需要者年齢情報と前記需要者体質情報の内少なくとも１つに基づいて需要者に提供するレシピを抽出する抽出システムを有すること、
を特徴とする請求項１乃至請求項６に記載の献立作成システム。
【請求項８】
前記献立作成システムは、
配達情報及び配達先情報を含み、
前記配達情報は前記材料情報を含む情報から構成され、
前記配達先情報は配達物を受け容れ可能なであることを示す受入許容データを含み、
前記配達情報と前記受入許容データに基づいて配達可否を判断すること、
を特徴とする請求項１乃至請求項７に記載の献立作成システム。
【請求項９】
前記献立作成システムは、
抽出したレシピを需要者へ提供すること、
を特徴とする請求項１乃至請求項８に記載の献立作成システム。
【請求項１０】
前記献立作成システムは、
前記入力情報の入力に際し、音声ガイドを行うこと、
を特徴とする請求項１乃至請求項９に記載の献立作成システム。
【請求項１１】
前記献立作成システムは、
前記材料情報について材料マスタ情報を有し、
前記材料マスタ情報には、所定の材料について発注数量を少なくとも１つ含み、
前記レシピに含まれる前記材料情報により指定される材料ついての指定数量が前記発注数量と異なる場合において、
前記指定数量より大きく、かつ、前記発注数量中最も小さい数量を選び決定すること、
を特徴とする請求項１乃至請求項１０に記載の献立作成システム。
【請求項１２】
前記献立作成システムは、
発注材料についての需要者嗜好情報を有し、
発注の際に前記需要者嗜好情報に基づいて需要者に提供する前記材料情報の抽出をする抽出システムを有すること、
を特徴とする請求項１乃至請求項１１に記載の献立作成システム。
【請求項１３】
前記献立作成システムは、
発注材料についての発注材料蓄積情報を有し、
前記発注材料蓄積情報が蓄積することに基づいて前記発注材料についての選択回数を蓄積し、
次の発注の際に前記選択回数に基づいて需要者に提供する材料情報の抽出をする抽出システムを有すること、
を特徴とする請求項１乃至請求項１２に記載の献立作成システム。
【請求項１４】
材料情報を含むレシピに関して需要者において決定する入力情報が送信され、
前記入力情報と、前記レシピに付随する属性情報、及び、需要者が前記レシピを選択することにより蓄積する選択蓄積情報から
抽出したレシピを対応する需要者に送信する、
献立提供方法。
【請求項１５】
前記献立提供方法は、
前記選択蓄積情報が蓄積することに基づいて複数の前記属性情報の各々の選択回数を蓄積し、
次の抽出の際に前記選択回数に基づいて抽出したレシピを対応する需要者に送信する、
請求項１４に記載の献立提供方法。
【請求項１６】
前記献立提供方法は、
前記レシピに主菜レシピと副菜レシピを含み、
前記副菜レシピの属性情報には、主菜レシピとの相性情報を含み、
前記主菜レシピを抽出後、前記相性情報に基づいて抽出したレシピを対応する需要者に送信する、
請求項１４乃至請求項１５に記載の献立提供方法。
【請求項１７】
前記献立提供方法は、
前記材料情報に前記入力情報により決定される常備品か否かである常備品情報を含み、
前記常備品情報に基づいて抽出したレシピを対応する需要者に送信する、
請求項１４乃至請求項１６に記載の献立提供方法。
【請求項１８】
前記献立提供方法は、
前記レシピに関して調理時間情報を含み、
前記入力情報に調理希望時間情報を含み、
前記調理時間情報と前記調理希望時間情報から抽出したレシピを対応する需要者に送信する、
請求項１４乃至請求項１７に記載の献立提供方法。
【請求項１９】
前記献立提供方法は、
前記レシピに関して調理方法情報を含み、
前記入力情報に調理希望最適化情報を含み、
前記調理方法情報と前記調理希望最適化情報から抽出したレシピを対応する需要者に送信する、
請求項１４乃至請求項１８に記載の献立提供方法。
【請求項２０】
前記献立提供方法は、
前記入力情報に関して需要者年齢情報と需要者体質情報の内少なくとも１つを含み、
前記需要者年齢情報と前記需要者体質情報の内少なくとも１つに基づいて抽出したレシピを対応する需要者に送信する、
請求項１４乃至請求項１９に記載の献立提供方法。
【発明の詳細な説明】
【技術分野】
【０００１】
本発明は、学習機能を有した料理レシピ推薦機能と購入連動機能を有するシステムに関するものである。
【背景技術】
【０００２】
特許文献１に記載の発明は、コンシューマ・プリファレンス・レベルを自動的に決定する方法である。
【０００３】
特許文献２に記載の発明は、調理を行うユーザーに対応した献立を作成する技術である。
【０００４】
しかし、これらの文献には、買い物をする際、料理レシピを特定するまでの作業（本を見る、料理サイトを見るなど）を人が判断・決定しており、嗜好や履歴から自動誘導する仕組みの記載がない。また、買い物購入サイトにて、自動音声によるコンシェルジュをする機能がない。
【先行技術文献】
【特許文献】
【０００５】
【特許文献１】特開２０１３−１２５５４３号公報
【特許文献２】特許５０３３００１号公報
【発明の概要】
【発明が解決しようとする課題】
【０００６】
解決しようとする問題点は、学習機能を有した料理レシピ推薦機能と購入連動機能を有するシステムを提供できるようにすることである。
【課題を解決するための手段】
【０００７】
本発明は、レシピと、レシピに付随する属性情報と、レシピに少なくとも１つ以上の材料情報を含み、レシピに関して需要者が決定する入力情報と、需要者がレシピを選択することにより蓄積する選択蓄積情報と、属性情報と入力情報と選択蓄積情報から需要者に提供するレシピを抽出する抽出システムを有すること、を最も主要な特徴とする。
【発明の効果】
【０００８】
本発明は、学習機能を有した料理レシピ推薦機能と購入連動機能を有するシステムを提供する。
【図面の簡単な説明】
【０００９】
【図１】献立作成システムに関するネットワークの一例を示す図である。
【図２】レシピと需要者に関する情報との関係の一例を示す図である。
【図３】配達先情報に関する一例を示す図である。
【図４】所定期間の献立の一例を示す図である。
【図５】レシピと属性情報との関係の一例を示す図である。
【図６】レシピと属性情報との関係の一例を示す図である。
【図７】入力情報の一例を示す図である。
【図８】配達情報の一例を示す図である。
【図９】配達先情報の一例を示す図である。
【発明を実施するための形態】
【００１０】
図１は、献立作成システム（以下、システムと略す場合がある。）に関するネットワークの一例を示す図であって、管理システム１、需要者側システム２、供給者側システム３、ストッカ５、配達車６を含んで構成するシステムである。場合によっては、供給者側システム３は供給者ホームページ４を含む。また、献立作成システムは、管理システム１と需要者側システム２の間には通信ライン１１、通信ライン１２、管理システム１と供給者側システム３の間には通信ライン１３、通信ライン１４、管理システム１とストッカ５の間には通信ライン１５、通信ライン１６、を設ける。そして、配達車６は、商品２１乃至２６を配達し、需要者はそれらの受け取り１７を行う。
【００１１】
図２は、レシピ２０１と需要者に関する情報との関係の一例を示すものである。献立作成システムは、需要者がカレーライスを選択すると、入力情報としての需要者年齢情報と需要者体質情報から配達情報として材料情報２０５、材料情報２０６、材料情報２０７、材料情報２０８を決定する。本実施形態は、大人の人数と子供の人数から材料について数量を決定している。レシピ２０１は、需要者の求めに応じてネットワークを介し提供される。また、献立作成システムは、需要者がレシピ１を選択したことを選択蓄積情報１回と保存する。この情報は、次の選択される度に２回、３回と増えていく。
【００１２】
発注に関して、より具体的に実施例の内容を説明する。献立作成システムは、事前登録した人数に合わせて推薦レシピより自動計算した必要材料を一覧リストに表示し、ダイレクトに発注する仕組とする。自動計算より導かれる必要材料は、実際に購入される材料マスタより選択される。計算結果が材料マスタの数量で割り切れない場合は、それより大きい近似値を有する材料マスタを自動選択する。例えば、自動計算結果が120gの肉に対し、材料マスタが100g、200g、300gとあった場合、自動で200gを選択する。
【００１３】
献立作成システムは、材料マスタから発注する材料を決定する。また、前記献立作成システムは、発注する材料を決定することに基づきその発注材料についての選択回数を蓄積する。そして、次の発注の際には、需要者の選択回数から導き出される嗜好に基づいて、どの材料を抽出するかを決定する。この抽出においては、システムが決定してもよいし、決定したものを需要者に確認するようにしても良いし、複数の材料を選択しその中から需要者に最終的に決定させるようにしてもよい。このように、発注した材料の選択回数を記憶しておき、その回数に応じて需要者に材料に関する情報を提案するようにすれば、需要者の嗜好に応じた情報の提供が可能となる。例えば、需要者の中には、あるメーカーの調味料しか使わない需要者や、野菜は必ず１個買いをする需要者や、賞味期限が所定期間以上のものを選択する傾向が強い需要者が存在する。これらの需要者にとっては、システムが登録された情報の中から選択肢を絞って情報提供を受けることでスムーズな注文をすることができる。特に働いている主婦などにとっては利便性が高い。
【００１４】
これは、献立作成システムが需要者の嗜好の情報を持ち、その嗜好に基づいて材料情報を提供することを意味している。これ以外に、需要者の家族構成やその年齢によって材料情報を適宜追加変更し提供することもできる。また、献立作成システムは、嗜好という意味で需要者がシステムに対して情報を入力する際に、センサによってその需要者の体温や表情等を認識し、これらの情報に基づいて材料情報を選択、決定し、提供するようにしても良い。例えば、需要者の体温が高く、表情もあせっているという情報を受け取れば、速く配送できるもの、速く調理できるもの、などを優先的に選択する。そして、需要者が穏やかな状態であることを認識すれば、１週間分の情報をまとめて提供しトータルとして需要者に得な情報を提供する。特に献立作成システムに対して需要者が仕事の合間など忙しい時にその情報の入力をする場合において、献立作成システムは、需要者をいらだたせることなく情報入力のサポートをすることができる。
【００１５】
献立作成システムは、次に需要者にレシピを選択させる際に選択蓄積情報に応じて優先的にレシピを提示する。献立作成システムが選択蓄積情報の多い順に優先的に提示すれば、需要者の嗜好に応じてレシピを提示できる。また、献立作成システムが少ない順に優先的に提示すれば、献立がマンネリ化してきたときに、まだ選択したことのないレシピを選びやすくなる。したがって、本実施形態はマンネリ化を解消するという効果を得ることができる。優先的に提示とは、登録されているレシピから数を決めて提示することや、レシピを順番に並べて提示することなどである。
【００１６】
図３は、配達先情報に関する一例を示す図である。具体的にはコンビニに配置されたストッカであって、保冷30cm3の納品庫を１５個備えるものが示されている。納品庫３０１、納品庫３０２、納品庫３０３はその仕切りが可動式になっており、商品（ゴルフバッグ）２６のようなものも収めることができる。献立作成システムは、ゴルフバッグについて保冷式納品庫、常温納品庫どちらでも許容できる情報を有していて、実施例のように保冷庫にゴルフバッグを納品する場合もある。また、献立作成システムは、ストッカの内それぞれの納品庫について満杯、余裕有り、空という空きを示す情報を有している。そして、献立作成システムは、図８に示す配達情報、図９に示す配達先情報に基づいて材料の配達可否を判断する。
【００１７】
図３に示すストッカは、温度管理機構を設けてもよい。また、ストッカは、温度管理機構の持つ情報からどの材料をどの納品庫に納品するかを決定し、省電力なブロック温度管理をできるようにしてもよい。また、献立作成システムは、ストッカに例えばプラズマによる清掃機能や、臭いを検知する気体センサなどを設けてもよい。さらに、ストッカ占有情報やストッカスペース情報を作成するために、献立作成システムは、ストッカに重量センサ、光学センサ、接触センサ、撮像装置などを設けてもよい。そして、献立作成システムは納品庫の利用頻度情報を管理するようにしてもよい。献立作成システムは、レシピ検索の際、ストッカに空きがあるかどうかを確認して、空きが無い場合は需要者に通知するようにしてもよい。
【００１８】
図４は所定期間の献立を需要者が選択したものを示している。これらを選択することにより、材料、材料の数量、及び、材料の消費予定、が決まる。したがって、献立作成システムはこれらについて情報記憶手段に記憶し、供給者から需要者への配達内容を決定し配達情報を作成することができる。
【００１９】
所定期間の献立により材料は決まるが、需要者は需要者体質情報によって材料の代替を要求する場合がある。例えば、卵アレルギーという体質である需要者はたんぱく質などの栄養分を他のものから摂取しなくてはならないし、需要者は疾病によって食料制限がなされる場合もある。また、子供には飲食させられないものもある。さらに、需要者が高級食材や手に入れにくい食材が選択した場合、予算や供給状況によっては配達することができないということも起こり得る。献立作成システムは、このような情報から、材料などを入れ替える。これは、需要者に前もって通知するようにしてもよい。材料などが代替されると、材料による占有体積が変わってくるため、献立作成システムは、配達情報及び配達先情報から配達可否を判断しなければならない。図４によって説明すると、献立作成システムは、ストッカの状況によっては、第１日目、第２日目の分を配達情報として決定し、第３日目、第４日目は、納品庫が空くのを待ってから配達するということもできる。
【００２０】
所定期間の献立は需要者側から評価することが可能であり、その評価を供給者ホームページ４に表示するようにしてもよい。また、所定期間の献立を選択する際に参考になるように、他の需要者の選択状況を表示する等により需要者がトレンドを把握できるようにしてもよい。また、所定期間の献立が長期間に渡る場合などには、個々の材料等についてまとめ買いをした方が需要者にとって利益となる場合もあり、献立作成システムがその推奨をするようにしてもよい。
【００２１】
レシピ及びその属性に関する情報は需要者が作成することもできる。このような、レシピは需要者からの投稿により献立作成システムに管理され、そのレシピが他の需要者の間で多く選択されるような場合に、作成した需要者へその貢献を還元する。例えば、献立作成システムが需要者へポイントを付与すること等が考えられる。このポイントは献立作成システムの中で金銭に代わるものとして流通してもよい。また、レシピはシチュエーションによって分類、検索が可能である。そして、作成した需要者への還元は、ポイントによるものだけではなく、年間、月間、週間ランキング表示などにより行うこともできる。さらに、図２、図４の消費メニューにおいて献立作成システムから送られる有償レシピが含まれるようにしてもよい。このポイントは商品供給システム内だけではなく、商品供給システムを運営するものが開催する有名シェフの試食会などの各種催しの優先入場権としても利用することができる。
【００２２】
レシピはあくまで完成されたものであって、それを調理するのは需要者である場合も多い。また、材料、材料の数量、材料の質、及び、材料の消費予定により、献立作成システムが適切な調理方法を提供することも需要者の役に立つ。そこで、献立作成システムはクッキングガイド情報として調理方法を提供することができる。これらのクッキングガイド情報は調理器具とも連携することができる。また、クッキングガイド情報は動画や音声にて提供される場合があり、調理の進捗に合わせ、声で停止や再生などの操作をすることができると便利である。これらは、調理希望最適化情報の一例である。
【００２３】
図５はレシピと属性情報との関係の一例を示す図である。献立作成システムは需要者がレシピを選択すると、選択蓄積情報を１回と保存するとともに、それぞれの属性について１回と保存する。この情報は選択蓄積情報と同様に選択される度に２回、３回と増えていく。このように属性によって選択回数を保存すれば、選択蓄積情報が多い順に優先的に提示するだけでなく、献立作成システムは、属性によっても優先的に提示することができる。また、献立作成システムは、属性に重み付けをして重み付けをした結果によって優先的に提示することもできる。さらに、属性そのものについて、献立作成システムは、例えば、クリスマスが近づいてきた場合イベントがクリスマスのものについて優先的に提示することもできる。
【００２４】
また、献立作成システムは選択頻度の高いメーカーを優先的に薦めるよう属性情報に調味料、惣菜、加工食品などのメーカーの情報を含めることができる。
【００２５】
図６は主菜レシピと副菜レシピとの関係を示すものである。献立作成システムは、ハンバーグ選択されればその副菜として、こふきいも、にんじんソテー、ゆでブロッコリーを需要者に提示し選択させる。カレーライスも同様である。
【００２６】
図７は入力情報の一例を示す図である。献立作成システムは需要者から調理希望時間や常備品として材料に何があるかという情報を得る。常備品とは、例えば、米、小麦粉、レタスなど需要者が常に補充をしているものである。つまり、常備品とは別の供給業者から定期的に供給を得るものや家庭菜園にて栽培する野菜などのことである。献立作成システムは、常備品優先モードを選択すれば需要者に対して常備品を含むレシピを優先的に提示する。献立作成システムは、常備品は別の欄に表示するようにしてもよい。さらに、1週間以内に購入した履歴があり家庭にストックがあることが想定される材料は、ストックがあるかも知れないことを需要者に通知する仕組みとするとしてもよい。
【００２７】
献立作成システムは、調理希望時間と調理時間との関係で調理時間を短くすることができる調理器具がある場合に、需要者に購入を勧めるような提示を行うことも可能である。献立作成システムは上記のようにストッカと連携することも可能であり、調理器具を配達するような情報を提供することもできる。また、献立作成システムは、料理教室への参加の案内等も併せて提示することが可能である。さらに、献立作成システムは、需要者の年齢情報や体質情報に応じて調理器具や料理教室への案内をすることも可能である。
【００２８】
図８は配達情報の一例を示す図である。本システムは集合住宅のようなものだけではなく、職場、自宅、コンビニ、公共施設など複数で広範囲の配達先を想定しており、需要者の選択によって配達先が決定される。決定とはある場所を特定するだけではなく優先順位を決めることも含まれる。したがって、自宅には冷蔵納品庫や冷凍納品庫はないが近くのコンビニにはその施設がある場合、そちらへ配達するよう情報が提供される。また、材料配達や受取配達や需要者の注文状況によって、配達先を再設定や再配置することもできる。
【００２９】
図９は配達先情報の一例を示す図である。献立作成システムは、配達先がどこにあるか、配達先にはどのような施設があるかを登録している。
【００３０】
献立作成システムは音声ガイドによって一連の選択の流れを進めることもできる。例えば「今日は何を作ろうかな？」というテーマに対し、需要者：「今日は何を作ろうかな？」、システム：「とんかつはいかがですか？」、需要者：「もうすこしあっさりした料理はない？」、システム：「豚肉の冷しゃぶゴマだれ風味はいかがですか？」、需要者：  「いいね。じゃあ、それにあうサイドメニューは？」、システム：「候補を表示します」、需要者：「ひじきの煮つけにします。以上で購入します」、システム：「わかりました。お買い物リストを表示します」と進めるような例がある。
【００３１】
また、「お買い得商品、何かな？」というテーマに対し、「今日の安い商品、何？」、「今日は大根が安いですよ」  、「じゃあ、大根使った料理は何がある？」、「ぶり大根なんてどうですか？」、「ぶりはいくらなの？」、「4切れで598円です」、「高いね。ぶりあらだったらもう少し安い？」、「ぶりのあらは1パック398円です」と進めるような例がある。
【００３２】
そして、「冷蔵庫にある食材を使った料理は？」というテーマに対し、「冷蔵庫になすが余っているけれど」、「茄子のメニューを表示します」  、「マーボーなすにするけど、ピーマンとひき肉は要らない」、「ピーマンとひき肉を除いた材料を表示します」、「マーボー茄子の素は甘口にして」、「かしこまりました。変更します」、「あとメーカーは味の素でお願いします」、「かしこまりました。変更します」と進めるような例がある。
【００３３】
さらに、「お魚を使った料理が浮かばない…」 というテーマに対し、「いま旬の魚はなに？」、「サンマはいかがでしょうか？」  、「サンマねえ、塩焼き以外のメニューない？」、「サンマの甘露煮はいかがでしょうか？」、「ぴんとこないな。他の魚で安いものはある？」、「鰆が4切れで400円です。」、「子どもは魚が嫌いだけど。 」、「では、子どもが食べやすい料理方法を表示します」と進めるような例がある。
【００３４】
「一週間の栄養バランスは考えたいな」というテーマに対しては、「一週間分のメニューを考えたいけれど」、「では、アレンジしてみます」、「水曜日のカレーはいらない。別のものにして」、「コロッケなどは如何でしょう？」、「冷凍コロッケはある？」、「十勝産ジャガイモコロッケが6個入り398円です」、「じゃあ水曜日はそれにして。金曜日は外食だからいらない」、「かしこまりました。アレンジしなおします」と進めるような例がある。
【００３５】
「メニューがマンネリ化している」というテーマに対しては、「いいメニューが浮かばないな。おすすめはある？」、「季節のメニューを一覧で表示します」、「料理時間が短い順に並び替えて」、「並び替えを行います」、「新しい料理に挑戦してみようかな」、「では、候補を表示します」、「辛い料理とねぎは苦手だから抜いてね」、「辛い料理とねぎを使用した料理は除いて表示します」と進めるような例がある。
【００３６】
なお、献立作成システムは、これらは音声ガイドだけではなく、画面上に文字表示するような形式でも利用することができる。
【００３７】
また上記実施例では献立作成システムは材料を扱うことにしているが、食品以外の商品にも流用できることは勿論である。
【００３８】
さらに、献立作成システムは、需要者が何時に献立作成システムにアクセスしたかどうかによって、情報提供の仕方を変更することができる。献立作成システムは、例えば、日曜日の午後８時のアクセスであればこれから一週間の献立を決める時間であることを想定し、野菜や肉などの材料又はその購入量を提案したり、レシピを提案したりすることができる。平日の午後１時であれば、当日の夕食の献立であることを想定し、惣菜などの材料や調理時間の短いレシピや材料を優先的に提案することができる。さらに、前回のアクセスとの期間を計算し、その間に消費したであろう食材を想定しながら材料やレシピの提案をすることもできる。勿論、献立作成システムは、アクセス時間のみではなく、ＧＰＳ機能を搭載した端末からのアクセスであれば、家からなのか、職場からなのか、または、旅先からなのかの情報をその端末から得て、それらの情報を元に材料やレシピを提案することもできる。
【００３９】
その他、上記記載の実施形態の他、本発明は種々の態様で改良、変形を施した態様で実施することができる。
【符号の説明】
【００４０】
１    管理システム
２    需要者側システム
３    供給者側システム
４    供給者ホームページ
５    ストッカ
６    配達車
１１    通信ライン
１２    通信ライン
１３    通信ライン
１４    通信ライン
１５    通信ライン
１６    通信ライン
１７    受け取りの流れ
１８    配達の流れ
２１    商品
２２    商品
２３    商品
２４    商品
２５    商品
２６    商品（ゴルフバッグ）
２０１    レシピ
２０２    レシピの絵、写真
２０３    需要者情報
２０４    需要者情報
２０５    材料情報
２０６    材料情報
２０７    材料情報
２０８    材料情報
３０１    納品庫
３０２    納品庫
３０３    納品庫
【図５】
2016012247.tif 000003
【図６】
2016012247.tif 000004
【図７】
2016012247.tif 000005
【図８】
2016012247.tif 000006
【図９】
2016012247.tif 000007
【図１】
2016012247.tif 000008
【図２】
2016012247.tif 000009
【図３】
2016012247.tif 000010
【図４】
2016012247.tif 000011